(57)【要約】【課題】  ベースの支軸に対してレンズホルダのスリーブ部を円滑に摺動させることができ、更に、レンズホルダの姿勢を安定して保持する。【解決手段】  支軸１３が対物レンズ３の光軸と平行に設けられたヨークとなるベース１１と、支軸１３が挿通されるスリーブ部１６を有し、一端側で対物レンズ３を保持し、支軸１３を中心とした回動方向と支軸１３の軸線方向に摺動可能なレンズホルダ１２と、マグネット１５ａ，１５ｂと、このマグネット１５ａ，１５ｂの発生する磁界中に配設されるレンズホルダ１２をフォーカシング方向に駆動するためのフォーカシングコイル１７とレンズホルダ１２をトラッキング方向に回動するための第１乃至第４のトラッキングコイル１８ａ〜１８ｄとを有する対物レンズ駆動部と、スリーブ部１６の周囲に、ベース１１と平行となるように配設され、一部に透磁率拡大部２５が設けられたリング２４とを備える。【選択図】  図３
2005322341.tif 000002
【特許請求の範囲】
【請求項１】
支軸が対物レンズの光軸と平行に設けられたヨークとなるベースと、
上記支軸が挿通されるスリーブ部を有し、一端側で上記対物レンズを保持し、上記支軸を中心とした回動方向と上記支軸の軸線方向に摺動可能なホルダと、
マグネットと、このマグネットの発生する磁界中に配設される上記ホルダを上記支軸の軸線方向に駆動するための第１のコイルと上記ホルダを上記支軸を中心とした回動方向に回動するための第２のコイルとを有する対物レンズ駆動部と、
上記スリーブ部の周囲に、上記ベースと平行となるように配設され、一部に透磁率拡大部が設けられた略リング状の中立部材とを備える対物レンズ駆動装置。
【請求項２】
上記中立部材は、更に、上記マグネットと対向する位置に磁束集中部を設けていることを特徴とする請求項１記載の対物レンズ駆動装置。
【請求項３】
上記透磁率拡大部は、上記対物レンズ側に位置していることを特徴とする請求項１記載の対物レンズ駆動装置。
【請求項４】
支軸が対物レンズの光軸と平行に設けられたヨークとなるベースと、
上記支軸が挿通されるスリーブ部を有し、一端側で上記対物レンズを保持し、上記支軸を中心とした回動方向と上記支軸の軸線方向に摺動可能なホルダと、
マグネットと、このマグネットの発生する磁界中に配設される上記ホルダを上記支軸の軸線方向に駆動するための第１のコイルと上記ホルダを上記支軸を中心とした回動方向に回動するための第２のコイルとを有する対物レンズ駆動部と、
上記スリーブ部の周囲に、上記ベースと平行となるように配設され、一部に透磁率拡大部が設けられた中立部材とを備える対物レンズ駆動装置を用いた光ピックアップ装置。
【請求項５】
上記中立部材は、更に、上記マグネットと対向する位置に磁束集中部を設けていることを特徴とする請求項４記載の光ピックアップ装置。
【請求項６】
上記透磁率拡大部は、上記対物レンズ側に位置していることを特徴とする請求項４記載の光ピックアップ装置。
【請求項７】
支軸が対物レンズの光軸と平行に設けられたヨークとなるベースと、
上記支軸が挿通されるスリーブ部を有し、一端側で上記対物レンズを保持し、上記支軸を中心とした回動方向と上記支軸の軸線方向に摺動可能なホルダと、
マグネットと、このマグネットの発生する磁界中に配設される上記ホルダを上記支軸の軸線方向に駆動するための第１のコイルと上記ホルダを上記支軸を中心とした回動方向に回動するための第２のコイルとを有する対物レンズ駆動部と、
上記スリーブ部の周囲に、上記ベースと平行となるように配設され、一部に透磁率拡大部が設けられた略リング状の中立部材とを備える対物レンズ駆動装置を用いた記録及び／又は再生装置。
【発明の詳細な説明】
【技術分野】
【０００１】
本発明は、対物レンズをその光軸と平行なフォーカシング方向と対物レンズの光軸と直交する平面方向のトラッキング方向に駆動変位させる対物レンズ駆動装置及びこれを用いた光ピックアップ装置及び記録及び／又は再生装置に関する。
【背景技術】
【０００２】
従来、光ディスク、光磁気ディスクの記録及び／又は再生装置に用いられる光ピックアップ装置は、光ビームを出射する半導体レーザや光ディスクの信号記録面で反射された戻りの光ビームを受光する光検出器などを備えた光学ブロック部と、半導体レーザから出射された光ビームを集光し、光ディスクの信号記録面に照射するための対物レンズをその光軸と平行なフォーカシング方向と対物レンズの光軸と直交する平面方向のトラッキング方向に摺動させる対物レンズ駆動装置を備えている。
【０００３】
この光ピックアップ装置に用いられている対物レンズ駆動装置としては、特許文献１に示すような軸摺動型の二軸アクチュエータがある。この二軸アクチュエータは、支軸が設けられたベースと、一端側で対物レンズを保持すると共に、支軸が挿通されるスリーブ部が設けられたレンズホルダとを備えている。このレンズホルダは、支軸を中心とした回動方向、すなわちトラッキング方向と支軸の軸線方向、すなわちフォーカシング方向に摺動可能に設けられており、コイルとマグネットを備えた駆動部によってトラッキング方向とフォーカシング方向に摺動される。
【０００４】
具体的に、対物レンズの駆動部は、レンズホルダにフォーカシングコイルとトラッキングコイルが設けられ、これらコイルがヨークともなるベースに設けられたマグネットにより形成された磁界中に配設されている。この駆動部は、これらコイルに流れる電流と磁界との作用により、対物レンズを保持したレンズホルダをトラッキング方向とフォーカシング方向に摺動させる。
【０００５】
また、レンズホルダには、スリーブ部の周囲に、レンズホルダをベースの支軸に対してフォーカシング方向及びトラッキング方向の中立位置に保持するための中立リングが設けられている。レンズホルダは、スリーブ部の周囲に設けられた中立リングがベースに設けられたマグネットの磁束密度の最も高い位置に磁気吸引されることによって、フォーカシング方向及びトラッキング方向の中立位置に保持される。
【０００６】
ところで、支軸に対してスリーブ部を摺動させるには、スリーブ部の内径を支軸の外径より僅かでも大きく形成する必要があり、したがって、支軸とスリーブ部の内周面との間には、間隙が形成されることになる。この間隙は、ベースに対するレンズホルダのがたつきの原因ともなる。ベースに対してレンズホルダががたつくと、対物レンズの正確なフォーカシング制御やトラッキング制御を行うことができなくなってしまう。
【０００７】
そこで、図１０に示すように、このがたつきを無くすために、中立リング１０１を、斜めに配設することがある。具体的に、中立リング１０１は、対物レンズ１０２側の一端を上側にし、これと反対側の他端が下側となるようにスリーブ部１０３の外周部に配設される。これにより、中立リング１０１の一端は、ベースの支軸１０４の上側に磁気吸引され、他端が支軸の下側に磁気吸引される。中立リング１０１の一端が支軸１０４の上側に磁気吸引され他端が支軸の下側に磁気吸引されることで、スリーブ部１０３は傾き、上端と他端が支軸１０４に点接触される。スリーブ部１０３の相対する上端と下端の２点が支軸１０４に点接触することによって、レンズホルダ１０５の支軸１０４に対するがたつきを無くすことができる。
【０００８】
しかしながら、図１０の方法は、スリーブ部１０３の上端と下端を支軸１０４に点接触させるものであるから、支軸１０４の表面に塵埃等の異物が付着した場合や表面粗度が低く粗いと、スリーブ部１０３の上端と下端が引っかかりとなり、スリーブ部１０３が支軸１０４に対して円滑にトラッキング方向やフォーカシング方向に摺動しなくなってしまう。また、レンズホルダ１０５がスリーブ部１０３の上端と下端の２点が支軸１０４に点接触することによって支軸１０４に支持されるものであるから、外乱が加わったとき、レンズホルダ１０５の姿勢が崩れ易い。
【０００９】
【特許文献１】特開２００３−１９６８６２号公報
【発明の開示】
【発明が解決しようとする課題】
【００１０】
本発明は、以上のような問題点に鑑みてなされたものであり、ベースの支軸に対してホルダのスリーブ部を円滑に摺動させることができ、更に、ホルダの姿勢を安定して保持することができる対物レンズ駆動装置及びこの対物レンズ駆動装置を用いた光ピックアップ装置及び記録及び／又は再生装置を提供することを目的とする。
【課題を解決するための手段】
【００１１】
本発明に係る対物レンズ駆動装置は、支軸が対物レンズの光軸と平行に設けられたヨークとなるベースと、上記支軸が挿通されるスリーブ部を有し、一端側で上記対物レンズを保持し、上記支軸を中心とした回動方向と上記支軸の軸線方向に摺動可能なホルダと、マグネットと、このマグネットの発生する磁界中に配設される上記ホルダを上記支軸の軸線方向に駆動するための第１のコイルと上記ホルダを上記支軸を中心とした回動方向に回動するための第２のコイルとを有する対物レンズ駆動部と、上記スリーブ部の周囲に、上記ベースと平行となるように配設され、一部に透磁率拡大部が設けられた略リング状の中立部材とを備える。この対物レンズ駆動装置は、光ピックアップ装置に用いることができる。また、この対物レンズ駆動装置は、光ピックアップ装置に組み込まれた状態で記録及び／又は再生装置に用いられる。
【発明の効果】
【００１２】
本発明によれば、スリーブ部の内周面に支軸の外周面が面接触し側圧支持されることから、ホルダの姿勢を安定して保持することができ、更に、対物レンズのトラッキング制御やフォーカシング制御をより正確に行うことができる。したがって、本発明は、高密度記録された光ディスクの光ピックアップ装置に好適である。
【発明を実施するための最良の形態】
【００１３】
以下、本発明を適用した対物レンズ駆動装置が用いられた光ピックアップ装置を図面を参照して説明する。
【００１４】
図１に示すように、光ピックアップ装置１は、光ディスクの記録及び／又は再生装置の記録再生部に配設されるものであって、半導体レーザ、光検出器等から構成される光学ブロック２と、光ディスクＤと対向する位置に配設され、光ビームを収束する対物レンズ３と、この対物レンズ３を駆動変位させる本発明が適用された対物レンズ駆動装置１０とを備える。そして、このような光ピックアップ装置１は、図示しないが記録及び／又は再生装置の装置本体を構成する筐体内に配設されるベースに設けられたピックアップ送り機構によって、ディスク回転駆動部に装着された光ディスクの径方向に送り操作される。
【００１５】
光学ブロック２は、少なくとも光ビームＬ１を出射する半導体レーザ４と、この光ビームＬ１を０次光及び±１次光の少なくとも３本の回折光ビームに分離するグレーティング５と、半導体レーザ４から出射された光ビームＬ１と光ディスクＤの信号記録面で反射された戻りの光ビームＬ２とを分離するビームスプリッタ６と、ビームスプリッタ６で分離された光ディスクＤの信号記録面で反射された戻りの光ビームＬ２に非点収差を発生させるためのシリンドリカルレンズ７と、光ディスクＤの信号記録面で反射された戻りの光ビームＬ２を検出する光検出器８とを備える。
【００１６】
半導体レーザ４から出射された光ビームＬ１は、先ずグレーティング５で０次光と±１次光に分離され、ビームスプリッタ６を介して対物レンズ３に入射され、光ディスクＤの信号記録面に収束されて照射される。そして、光ディスクＤの信号記録面で反射された戻りの光ビームＬ２は、対物レンズ３を透過し、ビームスプリッタ６の反射面６ａで半導体レーザ４から出射された光ビームＬ１と分離され、シリンドリカルレンズ７を介して光検出器８に照射される。
【００１７】
本発明が適用された対物レンズ駆動装置１０は、図２乃至図４に示すように、軸摺動型の二軸アクチュエータであり、固定部となるベース１１と、上述した対物レンズ３を保持すると共に、ベース１１に対する可動部となるレンズホルダ１２とを備えている。
【００１８】
ベース１１は、磁性材料で形成されており、全体がヨークとしても機能する。このベース１１の略中央部には、底板１１ｂに対して略垂直となる支軸１３が圧入やカシメ等により取り付けられている。この支軸１３は、光ディスクＤの信号記録面に対して光ビームＬ１を垂直に照射する対物レンズ３の光軸と平行となるように設けられている。ベース１１の両端部には、支軸１３を挟んで対向する一対のマグネット取付片１４ａ，１４ｂが設けられている。これら一対のマグネット取付片１４ａ，１４ｂには、互いに対向する面に、一対のマグネット１５ａ，１５ｂが取り付けられている。一対のマグネット１５ａ，１５ｂは、互いに向き合う面の磁極が同一となるように、すなわち互いのＮ極同士又はＳ極同士が向き合うように着磁されている。
【００１９】
なお、ここでは、互いのＳ極が向き合うように一対のマグネット１５ａ，１５ｂが対向配置されている。また、マグネットとしては、フォーカシング用のマグネットと、トラッキング用のマグネットを設けるようにしても良い。
【００２０】
支軸１３に取り付けられるレンズホルダ１２は、支軸１３との摺動が円滑となるように、液晶ポリマー等の剛性が高く摩擦抵抗の小さい合成樹脂材料によってモールド成形されている。レンズホルダ１２の略中央部には、支軸１３が挿通されるスリーブ部１６が設けられている。スリーブ部１６は、支軸１３に対して回動方向（図２中矢印Ａ方向）、すなわちトラッキング方向と支軸１３の軸線方向（図２中矢印Ｂ方向）、すなわちフォーカシング方向に摺動する部分であり、支軸１３の外径より内径が大きくなるように形成され、僅かではあるが支軸１３の外周面とスリーブ部１６の内周面との間に間隙が形成されるように設けられている。また、スリーブ部１６が支軸１３の軸線方向に摺動できるように、長さが支軸１３の高さより短くなるように形成されている。
【００２１】
このスリーブ部１６の外周部には、図３に示すように、フォーカシングコイル１７が取り付けられている。また、このフォーカシングコイル１７の外周部には、マグネット１５ａ，１５ｂに対向するように第１乃至第４のトラッキングコイル１８ａ，１８ｂ，１８ｃ，１８ｄが取り付けられている。なお、第１乃至第４のトラッキングコイル１８ａ〜１８ｄのそれぞれに対向させてトラッキング用のマグネットを設けるようにしても良い。
【００２２】
レンズホルダ１２は、このスリーブ部１６のスリーブ部１６に支軸１３が挿通されることによって、支軸１３の軸線方向、すなわち図２中矢印Ｂ方向に摺動可能に支持されると共に、支軸１３を中心とした回動方向、すなわち図２中矢印Ａ方向に摺動可能に支持される。また、このスリーブ部１６に支軸１３が挿通されることによって、第１及び第２のトラッキングコイル１８ａ，１８ｂと一方のマグネット１５ａとが所定の間隔で対向配置されると共に、第３及び第４のトラッキングコイル１８ｃ，１８ｄと他方のマグネット１５ｂとが所定の間隔で対向配置される。
【００２３】
スリーブ部１６が挿通される支軸１３は、図４に示すように、軸線方向に平行な溝部１３ａが互いに平行となるように形成されている。この溝部１３ａは、スリーブ部１６の内周面との接触面積を減らすことで、摺動摩擦抵抗を減らすようにしている。また、支軸１３の外周面とスリーブ部１６の内周面との間には、僅かではあるが間隙が形成されており、この間隙に、塵埃等の異物が浸入してしまうことがある。この溝部１３ａは、支軸１３の外周面やスリーブ部１６の内周面に塵埃等の異物が付着したとき、支軸１３に対してスリーブ部１６が摺動することにあわせて、ベース１１の底板側に異物を排出することができるようにし、支軸１３に対してスリーブ部１６が円滑に摺動するようにしている。
【００２４】
なお、以上の例では、溝部１３ａを支軸１３の軸線に平行に複数設けた例を説明したが、これに代えて、図５に示すように、綾目形状に形成するようにしても同様な効果を得ることができる。この場合、例えば、支軸１３の軸線に対して斜め４５度に傾斜するように各溝を形成する。溝部１３ａを綾目形状にすることで、スリーブ部１６が支軸１３に対して回動する際の摺動抵抗を小さくすることもできる。更に、溝部１３ａは、支軸１３の外周面ではなく、スリーブ部１６の内周面に設けても良く、更に、支軸１３の外周面及びスリーブ部１６の内周面に設けるようにしても良い。また、なおスリーブ部１６と支軸１３との摺動特性を良するために、互いに摺動面される面に潤滑剤を塗布しても良い。
【００２５】
また、レンズホルダ１２には、図２及び図６に示すように、フォーカシングコイル１７や第１乃至第４のトラッキングコイル１８ａ〜１８ｄに給電するためのフレキシブル配線基板１９が取り付けられる。具体的に、レンズホルダ１２には、一体的に基板取付部２１，２２が設けられており、それぞれの基板取付部２１，２２には、フォーカシングコイル１７や第１乃至第４のトラッキングコイル１８ａ〜１８ｄを構成する導線の一端が導出されており、フレキシブル配線基板１９の導出部１９ａ，１９ｂのランドに半田付けされる。このフレキシブル配線基板１９は、ベース１１を構成する底板の突起１１ａにより位置決めされ接着剤等で固定されており、導出部１９ａ，１９ｂは、ベース１１の底板側から湾曲してレンズホルダ１２の基板取付部２１，２２に導かれ、更に、基板取付部２，２２を巻き込むようにして、基板取付部２１，２２の裏面で半田２１ａ，２２ａにより半田付けされている。
【００２６】
レンズホルダ１２の一端側、すなわち基板取付部２１，２２の反対側には、図２及び図３に示すように、対物レンズ３を取り付けるためのレンズ取付部２３が設けられている。このレンズ取付部２３には、先端部に対物レンズ３が嵌合されるホルダ孔２３ａが形成されており、このホルダ孔２３ａに、支軸１３の軸線と対物レンズ３の光軸とが平行となるように、対物レンズ３が保持される。
【００２７】
レンズホルダ１２のスリーブ部１６の周囲には、図７及び図８に示すように、レンズホルダ１２を支軸１３に対してフォーカシング方向及びトラッキング方向の中立位置に保持するための中立リング２４が設けられている。この中立リング２４は、磁性材料により形成され、略菱形状に形成されている。具体的に、中立リング２４は、スリーブ部１６の外周であって、フォーカシングコイル１７のボビンの内側に位置規制されて配設される。
【００２８】
この中立リングの一部、具体的に一のコーナ部には、他の領域より断面積が大きく形成され、他の領域より透磁率が高い透磁率拡大部２５が設けられている。中立リング２４は、この透磁率拡大部２５が対物レンズ３側に位置するように、スリーブ部１６の周囲に、ベース１１の底板１１ｂと略平行となるように、更に、フォーカシング方向の中立位置に対応した高さに配設される。ベース１１に取り付けられているマグネット１５ａ，１５ｂは、中央部の磁力が高い。したがって、中立リング２４がスリーブ部１６の周囲に配設されたレンズホルダ１２は、図９に示すように、透磁率拡大部２５がベース１１に取り付けられたマグネット１５ａ，１５ｂの中心部に向かって、すなわち対物レンズ３とは反対側に引き寄せられることになる。換言すると、スリーブ部１６は、対物レンズ３側の内周面がベース１１の支軸１３の対物レンズ３側の外周面に面接触することになる。かくして、レンズホルダ１２は、スリーブ部１６の対物レンズ３側の内周面が支軸１３の対物レンズ３側の外周面にマグネット１５ａ，１５ｂによって吸引され面接触することになる。これにより、支軸１３に対するレンズホルダ１２のがたつきを抑えることができ、対物レンズ３のトラッキング制御やフォーカシング制御の精度を高めることができる。また、対物レンズ３により近い位置で支軸１３とスリーブ部１６の内周面とを面接触させることができ、より正確にトラッキング制御やフォーカシング制御を行うことができる。
【００２９】
また、中立リング２４は、透磁率拡大部２５と隣り合うコーナ部がマグネット１５ａ，１５ｂと近接し、磁力の最も高いマグネット１５ａ，１５ｂの中央部に引き寄せられる磁束集中部２６，２６となっている。磁束集中部２６，２６がマグネット１５ａ，１５ｂに吸引されることによって、レンズホルダ１２は、対物レンズ３のトラッキング方向とフォーカシング方向の中立位置に保持することができる。
【００３０】
なお、この中立リング２４は、全体が略環状を呈していれば良く、例えば、特許文献１に示すように、一部が途切れ非連続であっても良い。
【００３１】
ところで、以上のような対物レンズ駆動装置１０を備える光ピックアップ装置１は、図１に示すように、光検出器８で光電変換された電気信号が供給されるＲＦアンプ３１と、フォーカシング信号やトラッキング信号を生成するサーボ回路３２とを備える。ＲＦアンプ３１は、光検出器８からの電気信号に基づいて、ＲＦ信号を生成すると共に、非点収差法等によりフォーカシングエラー信号を生成し、更に、３ビーム法やプッシュプル法によりトラッキングエラー信号を生成する。そして、ＲＦアンプ３１は、ＲＦアンプを信号処理回路に供給し、フォーカシングエラー信号とトラッキングエラー信号をサーボ回路３２に供給する。サーボ回路３２は、フォーカシングエラー信号に基づき、このフォーカシングエラー信号が０となるように、フォーカシングサーボ信号を生成する。そして、サーボ回路３２は、フォーカシングサーボ信号に応じた電流を対物レンズ駆動装置１０のフォーカシングコイル１７に供給する。また、サーボ回路３２は、トラッキングエラー信号に基づき、このトラッキングエラー信号が０となるように、トラッキングサーボ信号を生成する。そして、サーボ回路３２は、トラッキングサーボ信号に応じた電流を対物レンズ駆動装置１０の第１乃至第４のトラッキングコイル１８ａ〜１８ｄに供給する。
【００３２】
以上のような光ピックアップ装置１は、光ディスクＤに対して光ビームを照射しない停止時において、フォーカシングコイル１７及び第１乃至第４のトラッキングコイル１８ａ〜１８ｄに電流は供給されない。この場合、レンズホルダ１２は、中立リング２４の磁束集中部２６，２６が一対のマグネット１５ａ，１５ｂの磁束密度の最も高い位置に磁気吸引され、フォーカシング方向及びトラッキング方向の中立位置に保持される。また、透磁率拡大部２５も、マグネット１５ａ，１５ｂに吸引され、スリーブ部１６の内周面が支軸１３の対物レンズ３側の外周面に面接触する。これにより、レンズホルダ１２に取り付けられている対物レンズ３は、中立位置に安定した姿勢で保持される。
【００３３】
光ピックアップ装置１は、情報信号の記録や再生のため、記録及び／又は再生装置のディスク回転駆動部によって光ディスクＤが回転されると、光ディスクＤの径方向に送り操作される。光ピックアップ装置１は、半導体レーザ４より光ビームＬ１を出射する。すると、この光ビームＬ１は、先ずグレーティング５で０次光と±１次光に分離され、ビームスプリッタ６を介して対物レンズ３に入射され、光ディスクＤの信号記録面に収束されて照射される。そして、光ディスクＤの信号記録面で反射された戻りの光ビームＬ２は、対物レンズ３を透過し、ビームスプリッタ６の反射面６ａで半導体レーザ４から出射された光ビームＬ１と分離され、シリンドリカルレンズ７を介して光検出器８に照射される。そして、光検出器８は、この光ビームＬ２を光電変換し、電気信号をＲＦアンプ３１に供給する。
【００３４】
ＲＦアンプ４１は、この電気信号に基づいてＲＦ信号とフォーカシングエラー信号とトラッキングエラー信号とを生成し、ＲＦ信号を信号処理回路に供給し、フォーカシングエラー信号とトラッキングエラー信号をサーボ回路３２に供給する。ＲＦ信号は、信号処理回路で復調、エラー訂正処理、伸長処理等が施され、アナログ信号に変換された後、スピーカや            モニタに出力される。サーボ回路３２は、フォーカシングエラー信号に基づいてフォーカシングサーボ信号を生成し、フォーカシングサーボ信号に応じた電流をフォーカシングコイル１７に供給すると共に、トラッキングエラー信号に基づいてトラッキングサーボ信号を生成し、トラッキングサーボ信号に応じた電流を第１乃至第４のトラッキングコイル１８ａ〜１８ｄに供給する。
【００３５】
フォーカシングコイル１７に対して電流が供給されると、一対のマグネット１５ａ，１５ｂに発生する磁界との作用によって駆動力が発生し、支軸１３の軸線方向に沿って、すなわちフォーカシング方向、すなわち図２中矢印Ｂ方向にレンズホルダ１２に取り付けられた対物レンズ３を変位させることができる。また、第１乃至第４のトラッキングコイル１８ａ〜１８ｄに対して電流が供給されると、一対のマグネット１５ａ，１５ｂに発生する磁界との作用によって駆動力が発生し、支軸１３の回動方向に、すなわちトラッキング方向、すなわち図２中矢印Ａ方向にレンズホルダ１２に取り付けられた対物レンズ３を変位させることができる。このとき、支軸１３には、溝部１３ａが設けられていることから、スリーブ部１６の内周面と支軸１３の外周面との間に形成された間隙に浸入した塵埃等の異物を溝部１３ａに沿ってベース１１の底板に排出することができると共に、摩擦抵抗を小さくすることができ、円滑でより正確なトラッキング制御とフォーカシング制御を行うことができる。また、トラッキング制御やフォーカシング制御時において、支軸１３の外周面は、スリーブ部１６の対物レンズ３側の内周面に面接触しがたつきの発生が防止されている。また、スリーブ部１６は、対物レンズ３に近い側の内周面が支軸１３の外周面と面接触している。したがって、より正確にレンズホルダ１２を支軸１３に沿ってトラッキング方向やフォーカシング方向に摺動させることができる。なお、レンズホルダ１２は、フォーカシングコイル１７や第１乃至第４のトラッキングコイル１８ａ〜１８ｄへの電流の供給が停止されると、中立リング２４が一対のマグネット１５ａ，１５ｂの磁束密度の最も高い位置に磁気吸引されることによって、再びフォーカシング方向の中立位置に復帰される。
【００３６】
なお、本発明は、光ディスクＤに対して情報信号の再生を行うものに限定されるものではなく、追記型や書込型の光ディスク、光磁気ディスク等に対して情報信号の記録や再生を行うことが可能なものについても適用可能である。
【図面の簡単な説明】
【００３７】
【図１】光ピックアップ装置を示す図である。
【図２】本発明を適用した対物レンズ駆動装置を上側から見た斜視図である。
【図３】上記対物レンズ駆動装置をベースを除いた状態で下側から見た斜視図である。
【図４】上記対物レンズ駆動装置の断面図である。
【図５】上記対物レンズ駆動装置の他の例の断面図である。
【図６】上記対物レンズ駆動装置を下側から見た斜視図である。
【図７】上記対物レンズ駆動装置の平面図である。
【図８】上記対物レンズ駆動装置の側面図である。
【図９】中立リングによりスリーブ部が側圧支持された状態を示す断面図である。
【図１０】従来の対物レンズ駆動装置の断面図である。
【符号の説明】
【００３８】
１  光ピックアップ装置、２  光学ブロック、３  対物レンズ、４  半導体レーザ、８  光検出器、１０  対物レンズ駆動装置、１１  ベース、１１ａ  突起、１１ｂ  底板、１２  レンズホルダ、１３  支軸、１３ａ  溝部、１４ａ，１４ｂ  マグネット取付片、１５ａ，１５ｂ  マグネット、１６  スリーブ部、１７  フォーカシングコイル、１８ａ〜１８ｄ  第１乃至第４のトラッキングコイル、１９  フレキシブル配線基板、１９ａ，１９ｂ  導出部、２１，２２  基板取付部、２３  レンズ取付部、２４  中立リング、２５  透磁率拡大部、２６  磁束集中部
【図１】
2005322341.tif 000003
【図２】
2005322341.tif 000004
【図３】
2005322341.tif 000005
【図４】
2005322341.tif 000006
【図５】
2005322341.tif 000007
【図６】
2005322341.tif 000008
【図７】
2005322341.tif 000009
【図８】
2005322341.tif 000010
【図９】
2005322341.tif 000011
【図１０】
2005322341.tif 000012